(57)【要約】      （修正有）【課題】高い電流搬送能力を備えた回路遮断器システムを提供する。【解決手段】エンクロージャ３００と、各々がエンクロージャのチャンバ３１５内に封入される複数の回路遮断器補極３１０と、各々が回路遮断器補極を封入するチャンバの１つに設置される複数のアークシュートアセンブリとからなる装置。各チャンバ３１５が同じ内部体積を有することができる。また、各々がエンクロージャのチャンバ３１５内に封入される複数の回路遮断器補極３１０を備えることと、各々の前記エンクロージャにアークシュートを設置する方法。【選択図】図３
2009259814.tif 000002
【特許請求の範囲】
【請求項１】
エンクロージャ（３００）と、
各々が前記エンクロージャのチャンバ（３１５）内に封入される複数の回路遮断器補極（３１０）と、
各々が前記回路遮断器補極を封入する前記チャンバの１つに設置される複数のアークシュートアセンブリ（５２５）と
を含む装置。
【請求項２】
各チャンバ（３１５）が同じ内部体積を有する、請求項１に記載の装置。
【請求項３】
各回路遮断器補極（３１０）がモジュール回路遮断器アセンブリを含む、請求項１又は２に記載の装置。
【請求項４】
各回路遮断器補極（３１０）が同一の回路遮断器アセンブリを含む、請求項１乃至３のいずれか1項に記載の装置。
【請求項５】
各チャンバ（３１５）が同一のアークシュートアセンブリ（５２５）を含む、請求項１乃至４のいずれか１項に記載の装置。
【請求項６】
複数の回路遮断器補極（３１０）を橋絡するように構成された１つ以上の伝導部材（４０５）をさらに含む、請求項１乃至５のいずれか１項に記載の装置。
【請求項７】
各々がエンクロージャのチャンバ（３１５）内に封入される複数の回路遮断器補極（３１０）を備えることと、
各々の前記エンクロージャにアークシュート（５２５）を設置することと
を含む方法。
【請求項８】
同じ内部体積を有する各チャンバ（３１５）を構成することをさらに含む、請求項７に記載の方法。
【請求項９】
各回路遮断器補極（３１０）の一部としてモジュール回路遮断器アセンブリを備えることをさらに含む、請求項７又は８に記載の方法。
【請求項１０】
各回路遮断器補極（３１０）の一部として同様に構成された回路遮断器アセンブリを備えることをさらに含む、請求項７又は８に記載の方法。
【発明の詳細な説明】
【技術分野】
【０００１】
本発明は、さらなる電流能力を提供するための回路遮断器電流路に関する。
【背景技術】
【０００２】
回路遮断機は、一般的に、例えば給電導体で短絡や地絡が生じる過電流状態から装置を保護するために実装される。過電流状態が発生すると、回路遮断機内の電気接点が通常は開くことになり、装置への電流の供給を停止する。回路遮断器の設計は、一般的に、高い静止電流と高い耐電流の両方の調節を含む。高い耐電流定格を維持するために、接点は電流耐量定格で閉じた状態でロックして、電流の流れによって発生する大きな電流反発力に耐えられるようにしなくてはならない。
【０００３】
多極回路遮断機にはさまざまな構造実施態様があり、例えば、ブローオープン（ｂｌｏｗ  ｏｐｅｎ）および非ブローオープン接点アーム、オーバーセンター（ｏｖｅｒｃｅｎｔｅｒｉｎｇ）および非オーバーセンター接点アーム、接点アームの一端に接点対と、他端にピボットを有するシングル接点対構成、回転遮断器とも呼ばれる、接点アームの各端に接点対を、両端の中間すなわち中央に位置する接点アームピボットを有するダブル接点対構成、単一のケースおよびカバー内に収容される回路遮断器構成要素を有する単一ハウジング構造などである。その他の実施態様としては、相カセット内に収容される各相の導電構成要素を有するカセット型構造があり、各々の相カセットは動作機構も収容するケースおよびカバー内に収容される。
【０００４】
多極回路遮断器は一般的に二極、三極および四極配置で利用可能であり、二極および三極配置は通常それぞれ二相および三相回路で利用される。四極配置は、一般的に切り換え中性点を有する三相回路で利用され、第四極は、主回路相の開閉と連係した配置のニュートラル回路を開閉するように機能する。
【０００５】
一般的に、多相回路遮断器システムの各極は、回路遮断器をトリップさせるために用いられるトリップ信号を発生させる電流検出要素を備えている。各々の極は、大量の電流を搬送することができる。図１は、単相用の例示的な回路遮断器１００の図を示す。遮断機１００は、固定接点アセンブリ１０５と、回転点１４０の周りを回動する可動接点アセンブリ１１０とを含む。可動接点アセンブリ１１０は、１つ以上の第１アーク接点１２０と、１つ以上のフィンガーアセンブリ１４５に取り付けられる１つ以上の第１主接点１２５とを含み得る。
【０００６】
１つ以上のフィンガーアセンブリ１４５は、１つ以上の第１アーク接点１２０と１つ以上の第１主接点１２５との取付点を提供するとともに、アークおよび主接点と可動アセンブリ負荷端子１５０との間の伝導経路を提供するように機能する。１つ以上のフィンガーアセンブリ１４５は、フィンガーアセンブリが回動点１１５の周りを回動することができるように弾性があってもよい。１つ以上のフィンガーアセンブリ１４５はばね力を提供して、過電流発生時に所望の速度で回路遮断器接点が開くのを補助することもできる。
【０００７】
固定接点アセンブリ１０５は、１つ以上の第２アーク接点１３０と、１つ以上の第２主接点１３５とを含み得る。固定接点アセンブリ１０５は、１つ以上の第２アーク接点１３０と１つ以上の第２主接点１３５とが取り付けられる固定アセンブリ負荷端子１５５も含み得る。固定および可動接点アセンブリ１０５、１１０は、一般的に、障害時の閉鎖に耐える、ひいては大きな電流搬送能力を有するように構成される。
【先行技術文献】
【特許文献】
【０００８】
【特許文献１】米国特許第４，９８２，１７４号公報
【特許文献２】米国特許第５，１６４，６９３号公報
【特許文献３】米国特許第５，３１７，１１７号公報
【特許文献４】米国特許第５，４９３，０９２号公報
【特許文献５】米国特許第６，３１７，０１９号公報
【特許文献６】米国特許第６，４０７，３５４号公報
【特許文献７】米国特許第６，５７３，８１５号公報
【特許文献８】米国特許第５，９４５，６５０号公報
【特許文献９】米国特許第６，２３２，５７０号公報
【特許文献１０】米国特許第６，４７９，７８１号公報
【特許文献１１】米国特許第６，９１７，２６９号公報
【特許文献１２】米国特許第７，１８９，９３５号公報
【特許文献１３】欧州特許第４３７１５１Ｂ１号公報
【特許文献１４】国際公開特許第２００２／０７５７６０Ａ１号公報
【発明の概要】
【発明が解決しようとする課題】
【０００９】
高い電流搬送能力を備えた回路遮断器システムを提供することが有利である。
【課題を解決するための手段】
【００１０】
以下は、非限定的な例示的実施形態である。
【００１１】
一実施形態における装置は、エンクロージャと、各々が該エンクロージャのチャンバ内に封入される複数の回路遮断器補極と、各々が該回路遮断器補極を封入する該チャンバの１つに設置される複数のアークシュートとを含む。
【００１２】
少なくとも１つのその他の実施形態における方法は、各々がエンクロージャのチャンバ内に封入される複数の回路遮断器補極を提供することと、各々のエンクロージャにアークシュートを設置することとを含む。
【図面の簡単な説明】
【００１３】
ここに開示の実施形態の前述の態様およびその他の特徴は、添付図面と併せて以下の記述において説明する。
【図１】例示的な回路遮断器の図を示す。
【図２Ａ】開示の実施形態を実行するのに適した例示的な回路遮断器を示す。
【図２Ｂ】開示の実施形態に従った例示的な回路遮断器の上面図を示す。
【図３】エンクロージャ内に取り付けられた１つ以上の補極を含む例示的実施形態の上面図を示す。
【図４】互いに橋絡された複数の例示的な補極を示す。
【図５Ａ】多数の補極が設置された例示的なエンクロージャの背面図を示す。
【図５Ｂ】例示的なエンクロージャの別の背面図を示す。
【図６】共通の閉鎖軸を有する別の例示的なエンクロージャの分解図を示す。
【発明を実施するための形態】
【００１４】
図２Ａは、本明細書に記載の実施形態を実行するのに適した例示的な回路遮断器２００を示す。ここに開示された実施形態は図面を参照して説明するが、多くの代替形式で実施することができることを理解されたい。また、任意の適当な寸法、形状または種類の要素または材料を使用してもよいことを理解されたい。
【００１５】
開示の実施形態は、概して、高い電流搬送能力を備えた回路遮断器システムを対象とする。その他の実施形態は、各極に対する補極と各補極に対する個別アークチャンバのモジュール配置を含み得る。
【００１６】
回路遮断器２００は、固定接点アセンブリ２０５と、回転点２５０の周りを回動する可動接点アセンブリ２１０とを含む。可動接点アセンブリ２１０は、一般的に、１つ以上の第１アーク接点２２０と、１つ以上のフィンガーアセンブリ２６０に取り付けられる１つ以上の第１主接点２２５（図２Ｂ）とを含み得る。１つ以上のフィンガーアセンブリは、１つ以上の第１アーク接点２２０および１つ以上の第１主接点２２５と可動アセンブリ負荷端子２６５との間に伝導経路を提供する。固定接点アセンブリ２０５は、１つ以上の第２アーク接点２３０と、固定アセンブリ負荷端子２５５に取り付けられる１つ以上の第２主接点２３５とを含み得る。固定および可動接点アセンブリ２０５、２１０は、障害時の閉鎖に耐えるように構成することができる。閉鎖時に、第１および第２アーク接点２２０、２３０は、第１および第２主接点２２５、２３５に先立って互いに接触するように構成することができる。
【００１７】
回路遮断器２００は、複数の補極を有する単極回路遮断器として構成してもよい。この例示的実施形態では、回路遮断器２００は２つの補極２４０、２４５を含む。
【００１８】
図２Ｂは、例示的な回路遮断器２００の上面図を示す。補極２４０は、可動接点アセンブリ２５０と、上述のアーク接点および主接点のセットを独自に有する固定接点アセンブリ２２５とを含む。同様に、補極２４５は、可動接点アセンブリ２６０と、アーク接点および主接点のセットを独自に有する固定接点アセンブリ２６５とを含む。この実施形態では、固定接点アセンブリ２０５は、同じ寸法の電流搬送体である固定接点アセンブリ２５５および固定接点アセンブリ２６５を含む。固定接点アセンブリ２５５および固定接点アセンブリ２６５は、各々が同じ数の第２アーク接点２３０および第２主接点２３５を有する。また、この実施形態では、可動接点アセンブリ２５０、２６０は、同じ数の第１アーク接点２２０および第１主接点２２５を有する。
【００１９】
回路遮断器２００は２つの補極に限定されず、１つまたは任意の適当な数の補極を含んでもよいことを理解されたい。また、各補極は、任意の数の固定接点と、任意の数のフィンガーアセンブリに取り付けられる任意の数の可動接点とを含んでもよいことを理解されたい。
【００２０】
図３は、エンクロージャ３００内に取り付けられる１つ以上の補極３１０を含み得る実施形態の上面図を示す。この実施形態では、各補極３１０は、個別チャンバ３１５内に設置することができる。少なくとも１つの壁３２０を各々の補極３１０の間に介装して、個別チャンバ３１５を形成することができる。一部の実施形態では、個別チャンバはアークチャンバとして構成してもよい。アークチャンバは、一般的に、第１および第２アーク接点２２０、２３０が嵌合または分離する時に発生するアークを消滅させるように機能する。アークチャンバ３１５は、不利な回路遮断器動作を伴わずに、発生するあらゆるアークを消滅させるように機能することができる。
【００２１】
この実施形態では、補極３１０は共通のモジュール構造を有しており、相互に交換することができる。各モジュールの補極３１０は、１つ以上の第１アーク接点３３０および１つ以上の第１主接点３３５を有する可動接点アセンブリ３２５を含む。各モジュールの補極３１０はまた、１つ以上の第２アーク接点３４５および１つ以上の第２主接点３５０を有する固定接点アセンブリ３４０を含む。
【００２２】
次に図４を参照すると、複数の補極３１０を橋絡して、クラスターパッド４０５と呼ばれる伝導部材を用いて極を形成することができる。クラスターパッド４０５は複数の可動アセンブリ負荷端子４３５、４３５’に固定されて、可動接点アセンブリ３２５に電気的に結合することができる。別のクラスターパッド４２０は複数の固定アセンブリ負荷端子４４０、４４０’に固定されて、固定アセンブリ負荷端子４４０、４４０’に電気的に結合することができる。クラスターパッド４０５、４２０もまたモジュール構造を有しており、交換することができる。
【００２３】
図４は各クラスターパッドによって橋絡された２つの補極を図示しているが、クラスターパッドによって任意の数の極を橋絡してもよいことを理解されたい。
【００２４】
図５Ａは、多数の補極が設置されたエンクロージャ３００の背面図を示す。エンクロージャ３００は、固定アセンブリ負荷端子５１０および可動アセンブリ負荷端子５１５がエンクロージャ内に延在するように構成される。一部の実施形態では、エンクロージャ３００は、多数の同一チャンバ５２０を含み得る。各チャンバ５２０は、実用的な製造限界範囲内で実質的に同じ体積を有しており、同様に構成された補極を封入することができる。各チャンバ５２０はまた、実質的に同じアークシュートアセンブリ５２５を有する。代替実施形態では、各チャンバは同じでなくてもよく、体積が異なっていてもよい。また、一部の実施形態では、エンクロージャは、異なる数のフィンガーアセンブリを有する少なくとも１つの補極を収容することができる。一部の実施形態はまた、寸法および構造詳細がさまざまな１つ以上のアークシュートを含み得る。
【００２５】
図５Ｂはエンクロージャ３００の別の背面図を示しており、複数のクラスターパッド５２０の各々が２つの固定アセンブリ負荷端子を橋絡し、複数のクラスターパッド５２５の各々が２つの可動アセンブリ負荷端子を橋絡するものである。
【００２６】
図６は、別の例示的なエンクロージャ６０５の分解図を示す。エンクロージャ６０５は、前面ハウジング６１５および背面ハウジング６２０を含む。前面ハウジング６１５および背面ハウジング６２０が嵌合すると、各々が補極回路遮断器６２５を封入する多数のチャンバが形成される。
【００２７】
一部の実施形態では、エンクロージャ６０５のチャンバは実質的に同じにしてもよい。各チャンバは、機能的限界範囲内で実質的に同じ体積を有しており、同様に構成された補極を封入することができる。代替実施形態では、各チャンバは同じでなくてもよく、体積が異なっていてもよい。また、一部の実施形態では、エンクロージャは、異なる数のフィンガーアセンブリを有する少なくとも１つの補極を収容することができる。
【００２８】
この実施形態では、エンクロージャが組み立てられると、補極は共通の閉鎖軸６１０に接続されて、それによって閉鎖される。クラスタープレート（図示せず）は、１つ以上の補極回路遮断器６２５を橋絡することができる。
【００２９】
以上の説明はあくまでも、本発明を例示的に示すものである。本出願において開示の実施形態の範疇から逸脱することなく、当業者によって本発明の実施形態を様々に改変および修正することが可能である。従って、添付の特許請求の範囲の精神において、このようなあらゆる代替的実施形態、修正形態および変形形態も本発明の実施形態に含まれるものとみなす。
【図１】
2009259814.tif 000003
【図２Ａ】
2009259814.tif 000004
【図２Ｂ】
2009259814.tif 000005
【図３】
2009259814.tif 000006
【図４】
2009259814.tif 000007
【図５Ａ】
2009259814.tif 000008
【図５Ｂ】
2009259814.tif 000009
【図６】
2009259814.tif 000010